(57)【特許請求の範囲】
【請求項１】
家庭環境用もしくは低電圧受電用として使用する仕様と、工業環境用もしくは高電圧受電用として使用する仕様で使用可能な兼用溶接電源装置であって、
前記各仕様で使用するそれぞれの入力部と、この各入力部にそれぞれ接続した雑音除去フィルタと、この各雑音除去フィルタの後段に接続された入力切り替え回路と、この入力切り替え回路に接続されその切り替え動作により前記雑音除去フィルタのいずれかに接続された前記入力部より給電して溶接電力を出力する本体回路部と、この本体回路部の動作を制御する制御回路とを備え、
前記雑音除去フィルタは前記各仕様における使用時の雑音レベルが異なるように雑音性能を設定し、前記入力切り替え回路は前記入力部のいずれかの受電に対応して切り替え動作することを特徴とする溶接電源装置。
【請求項２】
家庭環境用もしくは低電圧受電用として使用する雑音除去フィルタを、工業環境用もしくは高電圧受電用として使用する雑音除去フィルタと比較して雑音レベルがほぼ同等もしくはより低くなるように設定した請求項１記載の溶接電源装置。
【請求項３】
制御回路は入力切り替え回路の誤操作防止用のインターロック機能を有する請求項１または請求項２記載の溶接電源装置。
【請求項４】
ある仕様で使用可能であって、アダプタを接続可能なアダプタ接続用入力部と、この入力部に接続された雑音除去用フィルタと、この雑音除去用フィルタの後段に接続されて溶接電力を出力する本体回路部と、この本体回路部を制御する制御回路とを備え、
前記アダプタは、前記ある仕様と別の仕様で使用可能な入力部を有し、この入力部に接続された雑音除去用フィルタを有し、この雑音除去用フィルタに接続されて前記アダプタ接続用入力部に接続されるトランスを有する溶接電源装置。
【請求項５】
アーク溶接電源装置に適用される請求項１、請求項２、請求項３または請求項４記載の溶接電源装置。
【発明の詳細な説明】
【０００１】
【発明の属する技術分野】
本発明は、雑音除去フィルタを有する特にアーク電源装置などの溶接電源装置に関するものである。
【０００２】
【従来の技術】
溶接電源装置には、雑音除去フィルタが取り付けられ、それぞれの使用環境やその時代のニーズに適した形態および雑音レべル値が採用されている。
【０００３】
しかし、複数の環境（適用入力電圧、採用溶接電流、使用される住居、地域、国等の環境等）に対し、これらを同時に満足することは、コストが高いと言う課題があった。
【０００４】
一般的に雑音は、使用溶接電流が大なる程大きく、また入力電流が大なる程大きくなる。また入力電圧、電流が大なる程、形状的に大きな、つまりコスト的にも高価な雑音除去フィルタの設置が必要となる。一方更に厳しい使用環境や厳しいニーズ環境で使用する場合、雑音レべルは、一般的ニーズより更に低レべル値にしなければならない。
【０００５】
そこで従来の一例を図４に、また図５に周波数と雑音レべルの関係を示す。図４で以降説明する。図４の２点鎖線で囲まれた部分は、回路のそれぞれの機能ブロックを示す。図４の符号に従って、以下説明する。Ａ、Ａ１、Ｂｌは電源の一次入力端子で、Ａ端子とＡｌ端子間は低電圧入力部（例えば１００Ｖ）、Ａ端子とＢｌ端子間は高電圧入力部（例えば２００Ｖ）である。ＴＲｌは入力電圧切り替えトランス、１３はノーマル・モード・フィルタで、図の様に２個まとめて雑音除去フィルタ３とする。５は主パワー回路、８は制御回路、９は溶接棒、１０は被施工物、１１はアーク発生部である。図４の主パワー回路５の詳細は、図１の主パワー回路５に示す様に入力部がＸ、Ｘ１で、出力部がＣ、Ｃｌである。図４の制御回路８の詳細は、図１の制御回路６から、ＣＲｌ、ＣＲ２を除去した回路である。図４の制御回路８の入力部はＡ２、Ａ３、Ｂ２であり図１の制御回路６部の入力部記号Ａ２，Ａ３、Ｂ２と同じである。図４のＳは、主パワー回路５と制御回路８との信号の授受を示す。
【０００６】
次に図４の主パワー回路５の内部構成を図１の主パワー回路５で説明する。Ｄｌはダイオード群で全波整流回路、Ｃ５、Ｃ６はコンデンサ、Ｑｌ、Ｑ２はトランジスタ、Ｇｌ、Ｇ２はトランジスタＱｌ、Ｑ２のベース、ＴＲ３はインバータ用出力トランス、Ｄ２、Ｄ３は高周波側整流ダイオード、１７はチョーク・コイルである。
【０００７】
次に図４の制御回路８を図１の制御回路６で説明する。尚、ＣＲｌ、ＣＲ２、ａｌ，ａ２は従来例の説明より省く。ＴＲ２は制御トランス、Ｄ４、Ｄ５は整流用ダイオード、Ｃ７はコンデンサ、７はトランジスタＱ１、Ｑ２のベースＧｌ、Ｇ２の駆動回路である。
【０００８】
次に図４の回路の動作概要を説明する。ＡとＡｌ間もしくは、ＡとＢｌ間に入力電圧を印加する。入力電圧切り替えトランスＴＲｌの出力部（２次側）には、入力がいずれであれ、所定の出力が発生する。ノーマル・モード・フィルタ１３ではそれ以降の回路で発生した雑音が入力部Ａ，Ａｌ、Ｂｌに流れるのを防ぐ。Ｘ、Ｘ１以降の主パワー回路５はハーフ・ブリッジのインバータ回路であり、ベースＧｌ，Ｇ２に交互に駆動信号を加える事により、トランジスタＱｌ、Ｑ２が交互にスイッチング動作する。当然コンデンサＣ５，Ｃ６も交互に充放電される。次にその出力がインバータ用出力トランスＴＲ３に加えられ、その出力が高周波側整流ダイオードＤ２、Ｄ３で整流され、チョーク・コイル１７でリップルを低減し、その直流出力がＣ、Ｃｌに発生する。次にＣｌ側に溶接棒９を取り付け、Ｃ側に被溶接物１０（母材金属）を取り付けることにより、溶接が可能となる。図４の制御回路８は一次側入力部Ａ、Ａｌ、Ｂｌ側より入力電圧を受け、制御トランスＴＲ２の出力側は、一次側入力部がいずれであれ所定電圧を出力する。次に整流用ダイオードＤ４、Ｄ５で整流し、コンデンサＣ７でリップルを取り、駆動回路７に制御電圧等を印加し、駆動用出力Ｇｌ、Ｇ２を発生させる。
【０００９】
ところで、主パワー回路５は本体回路例えばインバータ回路であり、この回路で高周波雑音が発生し、電源の一次側入力部Ａ、Ａｌ、Ｂｌ側に戻り、パソコンや他の機能に雑音を与える可能性がある。また、１１はアーク発生部であり、同様に雑音を発生する可能性がある。これらの機器に雑音を与えない様に、発生雑音（雑音レべル３）が一次側入力部Ａ，Ａｌ、Ｂｌに戻るのを防ぐのがノーマル・モード・フィルタ１３である。ノーマル・モード・フィルタ１３により市場等の要望雑音レべルが守られている。
【００１０】
一般的に入力部ＡとＡｌ間を使用の低電圧の時は、出力部ＣとＣｌに流れる電流も小さく（当然ノーマル・モード・フィルタ１３を流れる電流も小さい）、また入力部ＡとＢｌ使用の高電圧時は、出力部ＣとＣｌに流れる電流も大きい（当然ノーマル・モード・フィルタ１３を流れる電流も大きい）。
【００１１】
ところで、現時点の要望・雑音レべル（工業・家庭環境の目標レベル）は、例えば雑音除去フィルタ３により図５に示す第３の雑音レべルで満足する。しかし将来的・市場要望を考慮すれば、現行の第３の雑音レべルより雑音が低く、且つ低電圧使用時、もしくは家庭環境での使用時の雑音（図５の第１の雑音レべル）は、高電圧使用時もしくは工業環境での使用時（図５の第２の雑音レべル）より低減しなければならない。
【００１２】
さて図４は現時点での雑音レべルを滞足した低電圧と高電圧の兼用溶接機の例であり、ノーマル・モード・フィルタ１３は当然高電圧が接続されたことを考慮して設計しなければならない。つまり低電圧のみにノーマル・モード・フィルタ１３を使用する場合に比し、ノーマル・モード・フィルタ１３は電流容量・耐絶縁性能・耐熱性能を考慮した高価な物となる。しかし将来的には、それぞれ別々の環境（使用電圧）に対しさらに厳しい別々の雑音レベルで設定しなければならない。兼用機の場合、低電圧時（家庭環境）で使用時のノーマル・モード・フィルタ１３は、高電圧でも使用されることを考慮（電流容量、耐電圧、耐熱性能を高電圧側で考慮）し、より高価な物となる。
【００１３】
なお、前記の説明に用いた溶接機の使用環境による、雑音のレべルを示す図５において、横軸は周波数（ＭＨｚ単位）、縦軸は雑音量＜デシベル（ｄＢ）単位＞を示し、横軸は対数の片対数グラフとする。ｆｌ、ｆ２は周波数でｆｌ＜ｆ２、またｄｌ，ｄ２，ｄ３，ｄ４，ｄ５は雑音量でｄｌ＜ｄ２＜ｄ３＜ｄ４＜ｄ５である。目標とする雑音レべルを、第３の雑音レべル（一点鎖線で示す、現時点での「工業・家庭環境」即ち第３の仕様での目標レべル）＞第２の雑音レべル（鎖線で示す、将来を考慮した「工業環境もしくは高電圧受電」即ち第２の仕様で使用しても問題なしのレべル）＞第１の雑音レべル（実線で示す、将来を考慮した「家庭環境もしくは低電圧受電」即ち第１の仕様で使用しても問題なしの雑音レべル）とする。
【００１４】
年々雑音に対する社会ニーズは、厳しくなっている。特に家庭環境での使用時は、工業環境での使用時より雑音の低レべル化が求められる。我々は将来の高度なニーズに対応した製品を低価格で開発しなければならない。
【００１５】
【発明が解決しようとする課題】
従来例は、上記説明から明らかな様に、以下に示す課題がある。
【００１６】
▲１▼  現行の社会・市場要望の雑音レベルは、第３の雑音レべルであるが、近未来的には第１または第２の雑音レべルにしなければならない。尚現時点で第１または第２の雑音レべルを満足すればなお望ましい。
【００１７】
▲２▼  第１の雑音レべル、第２の雑音レべルのそれぞれを満足し、かつ雑音フィルタの価格（コスト）を低価格にする必要がある。現状でも全体にしめる雑音フィルタのコストが無視しえない程高価である。
【００１８】
したがって、本発明の目的は、上記従来の課題を解決することができる溶接電源装置を市場に提供する事である。
【００１９】
【課題を解決するための手段】
請求項１記載の溶接電源装置は、家庭環境用もしくは低電圧受電用として使用する仕様と、工業環境用もしくは高電圧受電用として使用する仕様で使用可能な兼用溶接電源装置であって、
前記各仕様で使用するそれぞれの入力部と、この各入力部にそれぞれ接続した雑音除去フィルタと、この各雑音除去フィルタの後段に接続された入力切り替え回路と、この入力切り替え回路に接続されその切り替え動作により雑音除去フィルタのいずれかに接続された入力部より給電して溶接電力を出力する本体回路部と、この本体回路部の動作を制御する制御回路とを備え、
雑音除去フィルタは前記各仕様における使用時の雑音レベルが異なるように雑音性能を設定し、入力切り替え回路は入力部のいずれかの受電に対応して切り替え動作することを特徴とするものである。
【００２０】
請求項１記載の溶接電源装置によれば、入力部を各仕様ごとに分離したため、それぞれの使用実態に合致した最適で安価な雑音除去フィルタをそれぞれ設けることができ、最も適切な溶接電源装置の市場への提供が可能となる。
【００２１】
請求項２記載の溶接電源装置は、請求項１において、家庭環境用もしくは低電圧受電用として使用する雑音除去フィルタを、工業環境用もしくは高電圧受電用として使用する雑音除去フィルタと比較して雑音レベルがほぼ同等もしくはより低くなるように設定したものである。
【００２２】
請求項２記載の溶接電源装置によれば、請求項１と同様な効果のほか、雑音フィルタによる雑音レべルをそれぞれ異なった値に設定することにより、家庭環境もしくは低電圧受電用、および工業環境用もしくは高電圧受電用の雑音除去フィルタの設計が可能となり、それぞれの目標に合致した性能やコストの最適設計が可能である。また形状的、サイズ的にも、大きくならず最適設計が可能である。
【００２３】
請求項３記載の溶接電源装置は、請求項１または請求項２において、制御回路が入力切り替え回路の誤操作防止用のインターロック機能を有するものである。
【００２４】
請求項３記載の溶接電源装置によれば、請求項１または請求項２と同様な効果のほか、誤操作による誤動作を防止することができる。
【００２５】
請求項４記載の溶接電源装置は、ある仕様で使用可能であって、アダプタを接続可能なアダプタ接続用入力部と、この入力部に接続された雑音除去用フィルタと、この雑音除去用フィルタの後段に接続されて溶接電力を出力する本体回路部と、この本体回路部を制御する制御回路とを備え、
アダプタは、ある仕様と別の仕様で使用可能な入力部を有し、この入力部に接続された雑音除去用フィルタを有し、この雑音除去用フィルタに接続されてアダプタ接続用入力部に接続されるトランスを有するものである。
【００２６】
請求項４記載の溶接電源装置によれば、ある仕様の装置の入力部に雑音除去フィルタおよびトランスから構成されるアダプタを付加したため、ある仕様のみの機能・性能を持つ溶接電源装置を、別仕様でも使用可能とした装置として提供することができ、請求項１と同様な効果がある。
【００２７】
請求項５記載の溶接電源装置は、請求項１、請求項２、請求項３または請求項４において、アーク容接電源装置に適用されるものである。
【００２８】
請求項５記載の溶接電源装置によれば、請求項１、請求項２、請求項３または請求項４と同様な効果がある。
【００２９】
【発明の実施の形態】
発明の具体的な実施の形態を図１、図２、図３を用いて以降で説明する。
【００３０】
図１は、上記の問題を解決する手段の項で説明した、請求項１、請求項２の構成に合致する発明である。
【００３１】
図２は図１の雑音除去フィルタ１もしくは２の組み合わせ例である。同様に図３は請求項４の構成に合致する発明である。なお、本発明の思想は単に本事例のアーク溶接電源装置のみでなく、高周波溶接装置、その他の溶接装置に用いても良い。図１より順に説明する。尚、２点鎖線で囲まれた所は、それぞれの機能ブロックを示す。
【００３２】
図１は本発明の第１の実施の形態を示す。ＡとＡｌは上記の第１の仕様に該当する電源入力部、ＢとＢｌは上記の第２の仕様に該当する入力部を示す。１、２は雑音除去フィルタであり、雑音除去フィルタ１、２はそれぞれ、検出器Ｚｌ（その出力信号部ａｌ）、検出器Ｚ２（その出力信号部ａ２）、コンデンサＣｌ、Ｃ２、Ｃ３、Ｃ４、ノーマル・モード用コイル１４ａ、１４ｂ、コモン・モード用コイル１５，１６より構成されている。入力切り替え回路４は制御回路６に示すリレーＣＲ１、リレーＣＲ２の接点ｃｒ１、ｃｒ２で構成されている。制御回路６は、スイッチＷｌ，Ｗ２とリレーＣＲ１、ＣＲ２、駆動回路７を有する。駆動回路７は、検出器Ｚｌ，Ｚ２の出力信号部ａ１、ａ２と接続されている。また接点ａ１−１、ａ２−１は出力信号部ａｌ，ａ２の信号に関する出力でＣＲｌ、ＣＲ２と直列回路を構成している（ａｌ、ａ２等は、発明回路のみ付属している）。駆動回路７に出力信号部ａ１、ａ２の信号に応じて動作するリレーを有し、このリレーの動作で接点ａｌ−１、ａ２−１を作動する。また駆動回路７はトランジスタＱｌ，Ｑ２のベースＧｌ，Ｇ２を駆動する駆動回路も保持している。その他の記号は、主パワー回路５を含め従来例で説明した通りであり、共通部分に同一符号を付している。尚主パワー回路５は、例えばインバータ回路を用いた本体回路部である。
【００３３】
次にその動作を説明する。入力部Ａ、Ａ１に電力線が配線された時、検出器Ｚ１の出力信号部ａｌの出力がＯＮになり、駆動回路７に信号が入力され、その出力によりリレーＣＲｌの直列回路の接点ａ１−１がＯＮとなる。同様に入力部Ｂ、Ｂ１に電力線が配線された時、検出器Ｚ２の出力信号部ａ２がＯＮ、接点ａ２−１がＯＮとなる。検出器Ｚｌ、Ｚ２は配線されたことを検知、もしくは、入力電圧を検知して動作する、リミットスイッチもしくは電圧検出器である。ところで、入力部Ａ、Ａ１に配線されたとき、スイッチＷｌをＯＮにすればリレーＣＲｌがＯＮとなり、入力切り替え回路４のその接点ｃｒ１もＯＮとなる。また入力部Ｂ、Ｂ１に配線給電された時、スイッチＷ２をＯＮにすれば、リレーＣＲ２がオンとなり入力切り替え回路４の接点ｃｒ２もＯＮとなる。尚、第２の入力部がＯＮの時、スイッチＷｌをＯＮにしても入力切り替え回路４は働かない。同様に第１の入力部がＯＮの時スイッチＷ２をＯＮにしても入力切り替え回路４は働かない。要は検出器Ｚｌ，Ｚ２は、インターロック回路用に設けた部品である。
【００３４】
雑音除去フィルタ１，２の構成素子の物理定数を変える事により、それぞれ図５に示す第１または第２の雑音レべルのフィルタを作る事が可能である。上記の物理定数と図４の値は、雑音測定器（電源端子妨害電圧の雑音測定器や電磁放射妨害波の雑音測定器等）により実験的に求められる。本構成はコモンとノーマルのコイルで構成されているため、従来の図４より雑音除去効果は大である。雑音除去フィルタ１は雑音除去フィルタ２より雑音除去効果が大である為、雑音除去フィルタ１のコイル１４ａおよびコンデンサＣ１、Ｃ２の値は一般的に雑音除去フィルタ２の値より大である。しかし入力部Ａ、Ａ１（例えば１００Ｖ、１５Ａの入力）は入力部Ｂ、Ｂ１（例えば２００Ｖの入力）より入力電圧、電流とも小である。したがって、雑音除去フィルタ１のコイル１４ａ、コンデンサＣ１、Ｃ２の絶縁耐圧、電流容量（耐熱性）は、雑音除去フィルタ２のコイル１４ｂ、コンデンサＣ３、Ｃ４より低い値で良い。従って、従来例の図４で示した様な、入力電圧等の兼用タイプの雑音除去フィルタ等より効果的で、雑音除去性能の割に安価に製作可能である。
【００３５】
次に図２に雑音除去フィルタ１に関する本発明の他の実施の形態を示す。Ｃ８、Ｃ９はコンデンサ、２１はコイル、２２、２３はＺＮＲ素子（素子で決まる一定電圧以上が印加された時、インピーダンスが低下し電流が流れる素子）、２４は放電素子で、一定電圧以上素子に印加されたとき放電し、素子間のインピーダンスを下げる素子である。ＺＮＲ素子２２、２３および放電素子２４は過大な電圧および雑音が印加されたとき、これを吸収低減し、雑音をアースに流す素子群である。他は前記に説明した物と同等である。
【００３６】
なお、この回路の組み合わせでコイル１４ａの組、コイル２１の組、コイル１５の組、コンデンサＣ２とＣ８の組、コンデンサＣｌとＣ９の組等の値をゼロ近傍にした、もしくはそれぞれを削除した組み合わせが有ってもかまわない。要は、目標とする性能（雑音レべル等）が、最低のコストで達成可能な組み合わせであれば如何なる組み合わせでもよい。
【００３７】
また同様な構成を雑音除去フィルタ２にも適用することができる。
【００３８】
次に本発明の第３の実施の形態を図３により説明を行う。Ａ，Ａｌは第１の仕様すなわち家庭環境用もしくは低電圧受電用として使用する仕様の入力部を示す。１は上記した雑音除去フィルタ，ＴＲｌは昇圧トランス１である。２０は雑音除去フィルタ２，もしくは３（従来例）と同等の性能の雑音除去フィルタ部である。ＴＲ２−１は制御トランス、制御回路６−１は制御回路６、８と同等の働きをする制御回路である。
【００３９】
Ｓは図４と同様の信号授受をする。即ち主パワー回路５と制御回路６−１との信号授受を示す。Ｂ、Ｂｌは、雑音除去フィルタ部２０への入力部で、第２の仕様すなわち工業環境用もしくは高電圧受電用として使用する仕様の入力部を示す。尚それぞれの符号が図１、図４と同じものは説明を割愛する。雑音フィルタ部２０、主パワー回路５および制御回路６−ｌで示した部分は第２の仕様で駆動する溶接電源部である。この部分にアダプタ２２としての第１の入力部、雑音除去フィルタ１、および昇圧トランスＴＲｌの回路ブロック２１を一体物として構成付加し、第１の仕様で駆動可能とすることが出来る。要は第２の仕様でも使用可能であり、またアダプタ２２を付加する事により現場的に第１の仕様としての使用も可能となる。そして第１の仕様で使用時は図５の雑音レべル１を満足することが可能であり、アダプタ２２は第１の仕様のみの使用であり、即ち第１および第２の仕様の兼用でないため図１と同様に安価に製作可能である。
【００４０】
この実施の形態によれば、ある仕様の装置の入力部Ｂ、Ｂ１に雑音除去フィルタ１および昇圧トランス２１から構成されるアダプタ２２を付加したため、ある仕様のみの機能・性能を持つ溶接電源装置を、別仕様でも使用可能とした装置として提供することができる。この時、ある仕様の溶接電源装置に採用される雑音除去フィルタ部２０は雑音除去フィルタ２もしくは雑音除去フィルタ３のいずれであってもかまわない。
【００４１】
図１から図３により、性能、価格が最適に設定可能となる。すなわち、以上の構成により以下の効果がある。
【００４２】
（１）  目標とする最適性能（目標・雑音レべル等）を確保し、かつ材料コストを最も安価に小型化、軽量化を図った設計をする事が可能である。
【００４３】
（２）  仕様別（第１の仕様は家庭環境もしくは低電圧受電用、第２の仕様は工業環境用もしくは高電圧受電用）の雑音除去フィルタの設計が可能となり、それぞれの目標に合致した最適設計（性能・コスト）が可能である。また形状的、サイズ的にも、大きくならず最適設計が可能である。
【００４４】
（３）  従来の２つの仕様を兼用した電源の例にあるように、第２の仕様（雑音目標が高い値＜厳しくない値＞であるが、入力電圧、電流等が第１の仕様より高い）で使用するにも拘わらず、第１の仕様の目標・雑音レべル（雑音値が低い、厳しい値）で設計するため、価格が高い、形状が大きくなる等の問題があった。しかし前記（２）の様に大きく改善され、形状的およびサイズ的にも実用的になった。
【００４５】
（４）  第２の仕様に近い電源に、第１の仕様のアダプタ（図２参照）を付加するだけで、目標および雑音性能等を、低価格で、かつ最小形状、サイズ、および軽量で満足させることが可能である。
【００４６】
（５）  各入力部等に検出器Ｚｌ、Ｚ２等を付加する事により、第１の仕様と第２の仕様の兼用電源の入力状態を把握でき、インターロック回路の構成が可能である。
【００４７】
【発明の効果】
請求項１記載の溶接電源装置によれば、入力部を各仕様ごとに分離したため、それぞれの使用実態に合致した最適で安価な雑音除去フィルタをそれぞれ設けることができ、最も適切な溶接電源装置の市場への提供が可能となる。
【００４８】
請求項２記載の溶接電源装置によれば、請求項１と同様な効果のほか、雑音フィルタによる雑音レべルをそれぞれ異なった値に設定することにより、家庭環境もしくは低電圧受電用、および工業環境用もしくは高電圧受電用の雑音除去フィルタの設計が可能となり、それぞれの目標に合致した性能やコストの最適設計が可能である。また形状的、サイズ的にも、大きくならず最適設計が可能である。
【００４９】
請求項３記載の溶接電源装置によれば、請求項１または請求項２と同様な効果のほか、誤操作による誤動作を防止することができる。
【００５０】
請求項４記載の溶接電源装置によれば、ある仕様の装置の入力部に雑音除去フィルタおよびトランスから構成されるアダプタを付加したため、ある仕様のみの機能・性能を持つ溶接電源装置を、別仕様でも使用可能とした装置として提供することができ、請求項１と同様な効果がある。
【００５１】
請求項５記載の溶接電源装置によれば、請求項１、請求項２、請求項３または請求項４と同様な効果がある。
【図面の簡単な説明】
【図１】本発明の第１の実施の形態で第１の仕様と第２の仕様の性能を満たす溶接電源装置の回路図である。
【図２】第２の実施の形態の雑音除去フィルタの回路図である。
【図３】第３の実施の形態のアダプタ方式の溶接電源装置を示す回路図である。
【図４】従来例の２つの仕様を兼用した溶接電源装置の回路図である。
【図５】周波数に対する雑音レベルのグラフである。
【符号の説明】
１    雑音除去フィルタ
２    雑音除去フィルタ
３    雑音除去フィルタ
４    入力切り替え回路
５    本体回路部
６    制御回路
ＴＲｌ    昇圧トランス
７    駆動回路
８    制御回路
９    溶接棒
１０    被施工物
Ｗｌ，Ｗ２    切り替えスイッチ
ＣＲｌ，ＣＲ２  リレー
【図１】
0004031192.tif 000002
【図２】
0004031192.tif 000003
【図３】
0004031192.tif 000004
【図４】
0004031192.tif 000005
【図５】
0004031192.tif 000006